(57)【要約】【課題】デッキ材の幅方向および長手方向の熱伸縮を確実に許容できるとともに、デッキのメンテナンスを容易にでき、かつデッキ材間の目地寸法を均一にできるデッキ材の取付部材を提供すること。【解決手段】取付部材２０は、基部２１と、基部２１から立設された板状の立面部２２とを備え、立面部２２には、立面部２２の面状部分に直交する第１方向およびこれとは反対方向の第２方向に延出した第１係合片２３１および第２係合片２３２と、第１方向および第２方向の少なくともいずれかの方向に突出した弾性変形可能な間隔規制部３０とが設けられ、間隔規制部３０は、立面部２２の面状部分において互いに離間した位置から延出され、かつ延出するに従って互いに近づく方向に傾斜した一対の傾斜面３２と、一対の傾斜面３２間を連結するとともに、デッキ材１３と当接する当接面３１とを有する。【選択図】図４
2014152582.tif 000002
【特許請求の範囲】
【請求項１】
大引き上に架け渡される複数のデッキ材を前記大引きに取り付けるための取付部材であって、
基部と、前記基部から立設された板状の立面部とを備え、
前記立面部には、該立面部の面状部分に直交する第１方向およびこれとは反対方向の第２方向に延出した第１係合片および第２係合片と、前記第１方向および前記第２方向の少なくともいずれかの方向に突出した弾性変形可能な間隔規制部とが設けられ、
前記間隔規制部は、前記立面部の前記面状部分において互いに離間した位置から延出され、かつ延出するに従って互いに近づく方向に傾斜した一対の傾斜面と、前記一対の傾斜面間を連結するとともに、前記デッキ材と当接する当接面とを有する
ことを特徴とするデッキ材の取付部材。
【請求項２】
前記当接面は、前記面状部分と平行な平坦面で形成され、
前記傾斜面は、外側に膨らんだ曲面で形成されている
ことを特徴とする請求項１に記載のデッキ材の取付部材。
【請求項３】
前記間隔規制部は、前記傾斜面の基端部のみが前記面状部分に連続している
ことを特徴とする請求項１または請求項２に記載のデッキ材の取付部材
【請求項４】
間隔を空けて配置された大引きと、
前記立面部の面状部分が前記大引きの幅方向に沿う向きで前記大引きに取り付けられた請求項１ないし請求項３のいずれかに記載の取付部材と、
長手方向の側面に形成された凹部が前記取付部材の各係合片に係合して取り付けられたデッキ材とを備える
ことを特徴とするデッキ。
【発明の詳細な説明】
【技術分野】
【０００１】
本発明は、デッキ材の取付部材およびデッキに係り、複数のデッキ材を大引きに並べて取り付けるための取付部材の改良に関する。
【背景技術】
【０００２】
従来、大引き間に複数のデッキ材を架け渡す構造のデッキにおいて、デッキ材を大引きに対して取付部材を介して取り付けることが知られている（例えば、特許文献１、図３、図４参照）。このような取付部材は、大引き上に設置される平板状の基部と、基部から鉛直方向に立設された束壁部と、束壁部の上縁部に設けられて水平面を形成する天部を備えた断面「エ」字形状とされている。
【０００３】
並設されるデッキ材の対向する側面には、長手方向に沿って連続した凹部が設けられている。取付部材の天部を形成する一方の端縁が一方のデッキ材の凹部に係合し、他方の端縁が他方のデッキ材の凹部に係合することで、デッキ材同士が天部を介して連結されるとともに、デッキ材が大引きに押し付けられるようになっている。
【０００４】
また、取付部材の束壁部には、水平方向に突出した間隔規制突起が弾性変形可能に設けられている。この間隔規制突起にデッキ材の側面が当接することで、デッキ材間の間隔が所定間隔に規制される。そして、間隔規制突起が弾性変形することにより、デッキ材が幅方向に熱伸縮した場合の変位を吸収できようになっている。
【先行技術文献】
【特許文献】
【０００５】
【特許文献１】特開２０１０−２３６３１２号公報
【発明の概要】
【発明が解決しようとする課題】
【０００６】
しかしながら、特許文献１に記載の取付部材では、間隔規制突起が切り起こしによって形成されており、間隔規制突起の先端のエッジ部分がデッキ材の側面に当接している。このため、エッジ部分がデッキ材に食い込んでしまうことがあり、デッキ材の長手方向の熱伸縮を阻害するおそれがある。
【０００７】
また、デッキのメンテナンス時において、交換等が必要なデッキ材を引き抜こうとした場合には、デッキ材への間隔規制部材の食い込みが大きな抵抗となるため、デッキ材を容易に引き抜くことができないという問題がある。デッキ材を既設の取付部材に向けて押し入れる場合でも同様に、容易に押し入れることができない。
【０００８】
さらに、切り起こしによって形成された間隔規制突起は、片持ち形状となることで容易に弾性変形するため、デッキ材の幅方向の熱伸縮に追従して弾性変形するだけでなく、デッキ材を間隔規制突起に押し当てながら設置していく過程で変形する可能性があり、隣り合うデッキ材間の目地寸法を均一にできないという問題がある。
【０００９】
本発明の目的は、デッキ材の熱伸縮を確実に許容できるとともに、メンテナンスを容易にでき、かつデッキ材間の目地寸法を均一にできるデッキ材の取付部材およびデッキを提供することにある。
【課題を解決するための手段】
【００１０】
本発明のデッキ材の取付部材は、大引き上に架け渡される複数のデッキ材を前記大引きに取り付けるための取付部材であって、基部と、前記基部から立設された板状の立面部とを備え、前記立面部には、該立面部の面状部分に直交する第１方向およびこれとは反対方向の第２方向に延出した第１係合片および第２係合片と、前記第１方向および前記第２方向の少なくともいずれかの方向に突出した弾性変形可能な間隔規制部とが設けられ、前記間隔規制部は、前記立面部の前記面状部分において互いに離間した位置から延出され、かつ延出するに従って互いに近づく方向に傾斜した一対の傾斜面と、前記一対の傾斜面間を連結するとともに、前記デッキ材と当接する当接面とを有することを特徴とする。
【００１１】
本発明によれば、間隔規制部の当接面の両側は、立面部の面状部分に向けて拡開することになる傾斜面によって該面状部分と連続するから、従来のようなエッジ部分が存在しない。このため、間隔規制部がデッキ材に食い込むことがなく、デッキ材の長手方向の熱伸縮を阻害しない。また、間隔規制部が弾性変形自在に突出していることで、デッキ材の幅方向の熱伸縮を確実に吸収できる。従って、デッキ材の幅方向および長手方向の熱伸縮を確実に許容できる。さらに、間隔規制部によるデッキ材への食い込みが生じないため、デッキ材の引き出しや押し入れを容易にでき、メンテナンスを迅速にできる。しかも、当接面が傾斜面を介して立面部の面状部分と連結されているから、片持ち形状だった従来に比して間隔規制部の剛性を大きくでき、デッキ材の熱伸縮に対応して間隔規制部が弾性変形する一方で、デッキ材の設置過程での間隔規制部の変形を抑制でき、デッキ材設置後の目地寸法を均一にできる。
【００１２】
本発明のデッキ材の取付部材では、前記当接面は、前記面状部分と平行な平坦面で形成され、前記傾斜面は、外側に膨らんだ曲面で形成されていることが望ましい。
本発明によれば、間隔規制部の当接面が平坦面で形成されるから、デッキ材の側部に対して面接触し易くなる。このことから、デッキ材からの外力を当接面の大きな接触面で受けることができ、当接面自身の変形を抑制しつつ、間隔規制部全体を良好に弾性変形させることができる。また、傾斜面が曲面で形成されるので、メンテナンス時において、デッキ材を既設の取付部材に向けて押し入れる際に、デッキ材が間隔規制部に引っ掛かったりせず、押し入れ作業をよりスムーズに行える。
【００１３】
本発明のデッキ材の取付部材では、前記間隔規制部は、前記傾斜面の基端部のみが前記面状部分に連続していることが望ましい。
本発明によれば、当接面の周囲全体が面状部分と連続している訳ではないので、剛性が過度に大きくならず、デッキ材の熱伸縮にあわせて間隔規制部を確実に弾性変形させることができる。
【００１４】
本発明のデッキは、間隔を空けて配置された大引きと、前記立面部の面状部分が前記大引きの幅方向に沿う向きで前記大引きに取り付けられた取付部材と、長手方向の側面に形成された凹部が前記取付部材の各係合片に係合して取り付けられたデッキ材とを備え、前記取付部材が以上に説明したいずれかの取付部材であることを特徴とする。
このようなデッキとしても、本発明特有の取付部材を備えることで、前述した本発明の目的を達成できる。
【図面の簡単な説明】
【００１５】
【図１】本発明の第１実施形態に係る取付部材を用いたデッキを示す大略斜視図。
【図２】前記デッキを示す縦断面図であり、図３での矢印II-II断面図。
【図３】前記デッキを示す縦断面図であり、図２での矢印III-III断面図。
【図４】前記取付部材を示す平面図（Ａ）、正面図（Ｂ）、および側面図（Ｃ）。
【図５】本発明の第２実施形態に係る取付部材を示す平面図（Ａ）、正面図（Ｂ）、および側面図（Ｃ）。
【発明を実施するための形態】
【００１６】
［第１実施形態］
以下、本発明の第１実施形態を図面に基づいて説明する。
図１ないし図３において、デッキ１０は平面四角形状とされ、室外において、一端部１０Ａが建物の壁面１（図３参照）に近接している。より具体的にデッキ１０は、地上の所定位置にある束基礎Ｆ上に立設される複数の束柱１１と、束柱１１の上部間に架け渡される複数の大引き１２と、大引き１２の上部間に目地１０Ｂ（図４（中間リンク１５）参照）の間隔を空けて架け渡される複数のデッキ材１３と、デッキ材１３の壁面１側を除いた三方を囲う複数の幕板１４と、大引き１２の長手方向と直交する方向において、束柱１１間にわたって取り付けられた根がらみ１５とを備えている。
なお、以下の説明において、大引き１２およびデッキ材１３における幅方向とは、各部材１２，１３の長手方向と直交する見付け幅方向のことである。
【００１７】
このようなデッキ１０は、平面視にて、各大引き１２をその長手方向が壁面１と平行となるように配置したうえで、大引き１２の長手方向と直交する方向にデッキ材１３を架け渡した縦並びタイプとして構成されている。縦並びタイプでは、壁面１に対して直交する方向がデッキ材１３の長手方向と一致する。
ただし、デッキ１０としては、大引き１２をその長手方向が壁面１に対して直交する方向と一致するように配置したうえで、大引き１２の長手方向と直交する方向にデッキ材１３を架け渡した横並びタイプとして構成してもよい。横並びタイプでは、平面視にて、壁面１とデッキ材１３の長手方向とが平行となる。
【００１８】
束柱１１は、アルミ製の押出形材であり、束基礎Ｆの上面にＬ字状の固定金具１１Ａを介してねじ止めされている。
大引き１２も、アルミ製の押出形材であり、ねじ止めによって束柱１１の上部に固定されている（図２、図３参照）。大引き１２の断面形状は略凸形状である。大引き１２の上部において、図４（Ｂ）に拡大して示すように、大引き１２の幅方向の両側には、平坦な設置面１２Ａが設けられている。設置面１２Ａには、後述する取付部材２０が設置さられるとともに、大引き１２に対しては、この取付部材２０を介してデッキ材１３が取り付けられる。具体的に大引き１２には、設置面１２Ａの上方を一部覆うように、上面部分からその幅方向の両側に向けて水平に張り出した係合部１２Ｂが設けられている。これらの設置面１２Ａおよび係合部１２Ｂは、大引き１２の長手方向に連続している。この係合部１２Ｂにより、設置面１２Ａとの間には溝が形成され、この溝に取付部材２０の基部２１が嵌め込まれることで、取付部材２０が係合部１２Ｂに係合される。
【００１９】
デッキ材１３は、木粉を含有した合成樹脂製の押出形材である。このようなデッキ材１３は、大引き１２上に設置される取付部材２０を介して当該大引き１２に取り付けられている。デッキ材１３の長手方向に沿った側部には、図４（Ｃ）に拡大して示すように、押出成形によって得られる凹部１３Ａが形成されている。隣り合うデッキ材１３同士では、互いの凹部１３Ａが対向している。取付部材２０は、対向し合う凹部１３Ａ内に嵌め込まれた状態で、大引き１２の設置面１２Ａにねじ止めされている。
【００２０】
そして、隣り合うデッキ材１３のうち、図４（Ｃ）中の左側に２点鎖線で示す一方のデッキ材１３では、対向する前記凹部１３Ａの上方に１条の側面１３Ｂが設けられ、凹部１３Ａの下方に２条の側面１３Ｃ，１３Ｃ、が設けられている。
これに対して、右側に示す他方のデッキ材１３では、凹部１３Ａの上方に２条の側面１３Ｃ，１３Ｃが設けられ、下方に側面１３Ｂが設けられている。
つまり、デッキ材１３の断面形状は、その断面中心を回転中心とした点対称である。このため、隣り合うデッキ材１３の対向部分では、互いの側面１３Ｂと２条の側面１３Ｃ，１３Ｃとが上下反転した位置にある。
【００２１】
そして、一方のデッキ材１３の上方側の側面１３Ｂと、他方のデッキ材１３の上方側の側面１３Ｃ，１３Ｃとが対向することで、これらの間には微小な幅の目地１０Ｂが形成されている。
また、本実施形態では、側面１３Ｂの水平方向への突出量は、側面１３Ｃ，１３Ｃの水平方向への突出量よりも小さい。従って、各デッキ材１３の上側と下側とでは、それら側面１３Ｂと側面１３Ｃ，１３Ｃとの対向部分の位置が幅方向にずれている。このことから、デッキ１０の上方からは、目地１０Ｂを通して地面側が見えないようになっている。さらに、目地１０Ｂを通してデッキ１０の上面から地面へ物が落下するのを防止できる。
【００２２】
また、デッキ材１３には、長手方向の略中央において、上方からピン１６（図４（Ｃ）参照）が打ち込まれており、このピン１６によってデッキ材１３の位置ずれが抑制されている。デッキ１０への日光の直射量の変動により、デッキ材１３には熱伸縮が生じる。デッキ材１３の長手方向の熱伸縮は、ピン１６を中心として、長手方向の両側で生じる。そして、熱伸縮は、デッキ材１３の幅方向（並設方向に同じ）についても同様に生じる。デッキ材１３の長手方向および幅方向の熱伸縮は、後述する取付部材２０にて確実に許容される。
【００２３】
幕板１４は、デッキ材１３同様、木粉を含有した合成樹脂製の押出形材であり、大引き１２の端部、およびデッキ材１３の端部または側部に、適宜な支持金具を介して取り付けられている。
根がらみ１５は、アルミ製の押出形材であり、デッキ材１３の長手方向と平行に配置され、束柱１１同士を連結している。このような根がらみ１５は、デッキ材１３の長手方向の熱伸縮（主に反り変形）に追従し、束柱１１が傾いてしまうのを防止する。
【００２４】
以下には、図４に基づき、取付部材２０について詳説する。
図４（Ａ）ないし図４（Ｃ）において、取付部材２０は、ステンレス製板金の打抜加工、曲げ加工、ブリッジ加工等により製作されている。取付部材２０は、大引き１２の各設置面１２Ａに設置されるよう、間隔を空けて一対設けられた基部２１と、基部２１に一体で、かつ大引き１２の幅方向に沿って立設された板状の立面部２２と、立面部２２の上部側から大引き１２の長手方向に向けて水平に延設された複数の係合片２３とを備える。
【００２５】
基部２１は、立面部２２における大引き１２の幅方向の一方側に対応した位置から当該幅方向と直交する第１方向に延設された第１基部２１１と、立面部２２における大引き１２の幅方向の他方側に対応した位置から第１方向とは反対方向である第２方向に延設された第２基部２１２とを備える。なお、第１、第２方向は共に、大引き１２の長手方向に沿った方向である。
【００２６】
第１、第２基部２１１，２１２の下面は、大引き１２の設置面１２Ａに設置され、上面は係合部１２Ｂに係合される。これらの第１，第２基部２１１，２１２は、延設方向が異なることで脚部として機能し、取付部材２０全体を自立可能にしている。第１、第２基部２１１，２１２は、互いに対向する縁２１Ａが第１方向および第２方向に対して傾斜して形成されている。このため、第１、第２基部２１１，２１２は、基端側から延設される方向に向かって広がるように形成され、第１、第２基部２１１，２１２の先端側が立面部２２に連続する基端側に比べて幅広とされている。そして、取付部材２０が正規の向きで大引き１２に取り付けられた際には、第１、第２基部２１１，２１２の広がった部分が、大引き１２の設置面１２Ａと係合部１２Ｂとで形成された溝に嵌り込み、係合部１２Ｂに係合される。
また、各縁２１Ａは、互いに平行に設けられている。縁２１Ａ間の間隔Ｗ１は、大引き１２の係合部１２Ｂ間の幅寸法Ｗ２よりも僅かに大きい。
さらに、第２基部２１２には、表裏を貫通する丸孔２１Ｂが設けられている。丸孔２１Ｂに挿通されるねじにより、取付部材２０が必要に応じて大引き１２に固定される。
【００２７】
第１、第２基部２１１，２１２の基端側は、大引き１２の幅寸法と略同じ幅寸法を有した立面部２２と一体とされている。つまり、第１、第２基部２１１，２１２は、立面部２２に対して大引き１２の長手方向の一方（第１方向）と他方（第２方向）との異なる方向に向けて、それぞれ曲げ加工されることで設けられている。
【００２８】
立面部２２は、隣り合うデッキ材１３の間に位置している。従って、立面部２２の面状部分は、各デッキ材１３の側面に対向している。すなわち、立面部２２において、面状部分とは、前記第１方向に直交する面および第２方向に直交する面のことである。
【００２９】
立面部２２の下部側において、第１、第２基部２１１，２１２間には、係合部１２Ｂを含んだ大引き１２の上面が収まる大きさの切欠開口２２Ａが設けられている。立面部２２の中央には、所定長さの開口部２２Ｂが設けられている。切欠開口２２Ａは、下方に向けて開放しており、立面部２２全体が逆凹形状となるように設けられている。開口部２２Ｂは、大引き１２の幅方向と平行なスリット状に設けられている。立面部２２の切欠開口２２Ａと開口部２２Ｂとの間は、ブリッジ加工により形成された帯状の間隔規制部３０になっている。この間隔規制部３０については後述する。
【００３０】
係合片２３としては、立面部２２の上部側両端において、第１方向に曲げ加工されて延設された一対の第１係合片２３１と、それら第１係合片２３１間において、第２方向に曲げ加工されて延設された第２係合片２３２とが設けられている。このように、立面部２２での面状部分の異なる位置において、第１、第２係合片２３１，２３２の曲げ方向、および前述の一対の第１、第２基部２１１，２１２の曲げ方向を異ならせることで、隣り合うデッキ材１３に挿入可能な取付部材２０を１枚の板金材料から製作可能である。
【００３１】
そして、第１係合片２３１は隣り合う一方のデッキ材１３の凹部１３Ａに挿入され、第２係合片２３１は他方のデッキ材１３の凹部１３Ａに挿入される。この際、第１、第２係合片２３１，２３２は波状に形成されており、下方に突出した部位が押圧部２３Ａになっている。第１、第２係合片２３１，２３１が凹部１３Ａへ挿入されることで、それぞれの押圧部２３Ａが凹部１３Ａの底面部分に接触して底面を下方に押圧し、デッキ材１３を大引き１２に押し付ける。また、第１係合片２３１には、表裏を貫通する丸孔２３Ｂが設けられている。丸孔２３Ｂには、必要に応じてピン１６が挿通され、デッキ材１３と取付部材２０とを互いに固定する。
【００３２】
取付部材２０の間隔規制部３０について説明する。
間隔規制部３０は、図４（Ａ）に示すように、平面視において、立面部２２の面状部分からから一方のデッキ材１３側である第２方向に弓状に突出している。間隔規制部３０は、両側の基端部分でのみ立面部２２の面状部分と連続している。図４（Ｂ）において、間隔規制部３０の基端部分の下部側は切欠開口２２Ａに臨み、上部側は開口部２２Ｂに臨んで設けられている。図４（Ｃ）において、間隔規制部３０には、その突出側に配置されるデッキ材１３の側面１３Ｂが当接される。他方のデッキ材１３の側面１３Ｃ，１３Ｃは、立面部２２に対して間隔規制部３０とは反対側の面状部分に当接している。このことから、立面部２２が間隔規制部３０の位置で両側からデッキ材１３に当接され、間隔規制部３０がそれらのデッキ材１３の間隔を規制し、デッキ材１３間には所定幅の目地１０Ｂが形成される。
【００３３】
ここで、上記の説明において、他方のデッキ材１３として説明した図４（Ｃ）中の左側のデッキ材１３が先に大引き１２に取り付けられる。次いで、取付部材２０が大引き１２に設置され、この後、一方のデッキ材１３として説明した図４（Ｃ）中の右側のデッキ材１３が大引き１２に取り付けられる。つまり、取付部材２０では、間隔規制部３０が後に取り付けられる方のデッキ材１３に向けて突出している。固定された状態にある取付部材２０に対して後付け側のデッキ材１３をあてがう方が、取付部材２０の間隔規制部３０を容易かつ正確に弾性変形させることができ、先に取り付けられてあるデッキ材１３との間の目地１０Ｂを均等な幅で確実に確保できる。
【００３４】
このような間隔規制部３０は、第２方向である突出方向、すなわちデッキ材１３の幅方向に弾性変形可能である。デッキ材１３の幅方向への熱伸縮時に生じる変位は、間隔規制部３０の弾性変形により吸収される。間隔規制部３０の長さ寸法および幅寸法は、その厚さ寸法によっても異なるが、デッキ材１３の熱伸縮に応じて確実に弾性変形する程度の強度を有するように設定される。また、間隔規制部３０の下部側に設けられた切欠開口２２Ａの長さ寸法、および上部側に設けられた開口部２２Ｂの長さ寸法は、間隔規制部３０よりも長い。このため、間隔規制部３０では、その両側の基端部分が開口に臨むこととなり、間隔規制部３０が弾性変形する際には、間隔規制部３０の基端部分が立面部２２の面状部分など、他の部位に接触せず、弾性変形が阻害されない。
【００３５】
より具体的に、間隔規制部３０の長手方向の中央部分には、デッキ材１３と当接する鉛直な当接面３１がデッキ材１３の長手方向と平行となるように設けられている。当接面３１は、平坦面として形成されている。当接面３１でのデッキ材１３の長手方向に沿った両側には、当接面３１と立面部２２の面状部分とを滑らかに連続させる傾斜面３２が設けられている。これらの傾斜面３２は、外側に膨らんだ曲面として形成され、立面部２２の面状部分に向けて拡開するように傾斜している。
【００３６】
すなわち、間隔規制部３０の一対の傾斜面３２は、面状部分の互いに離間した位置から延出されて、延出するに従って互いに近づくように傾斜しており、これらの傾斜面３２の先端間を連結するように当接面３１が設けられている。このような間隔規制部３０にはエッジ部分が存在せず、幕板１４やピン１６が取り付けられていない状態では、デッキ材１３が当接面３１に当接されたままでも、デッキ材１３をその長手方向にスライドさせることが可能である。また、当接面３１を介して取付部材２０がデッキ材１３と接触していることで、デッキ材１３の長手方向の熱伸縮をも良好に許容可能である。
【００３７】
以下には、デッキ１０でのデッキ材１３の設置手順およびメンテナンスについて概略説明する。
初めに、大引き１２の端部側にデッキ材１３を１枚配置し、このデッキ材１３に第１係合片２３１を挿入するようにして取付部材２０を大引き１２上に設置する。取付部材２０の設置にあたっては先ず、取付部材２０を設置したい箇所にて、第１、第２基部２１１，２１２の傾斜した縁２１Ａが大引き１２の長手方向と平行になるように設置面１２Ａに落とし込み、所定角度だけ回動させて第１、第２基部２１１，２１２の広がった部分を係合部１２Ｂに係合させる。この時、取付部材２０の立面部２２を、図５（Ｃ）に示すように、最初に配置された図中の左側のデッキ材１３の側面１３Ｃに確実に当接させる。
【００３８】
そして、設置した取付部材２０では、デッキ材１３の下方から露出することとなる第２基部２１２に丸孔２１Ｂが設けてあることから、この丸孔２１Ｂにねじを通して取付部材２０を大引き１２にねじ止めする。次いで、ねじ止めされた取付部材２０の第２係合片２３２に対して、凹部１３Ａを挿入するようにして２枚目のデッキ材１３を配置する。この際には、デッキ材１３を取付部材２０の立面部２２に設けられた間隔規制部３０に確実に当接させておく。この後に新たな取付部材２０を設置するが、これ以降の手順は上述した手順を繰り返せばよい。
【００３９】
これに対して、施工済みのデッキ１０において、メンテナンスのためにいずれかのデッキ材１３を取り外す場合には、壁面１から離間した側の幕板１４を外し、ピン１６を抜いた後に所望のデッキ材１３をスライドさせて引き出す。戻す場合には、引き出した時とは逆に、デッキ材１３をスライドさせながら押し入れればよい。
【００４０】
本実施形態によれば、以下の効果がある。
（１）すなわち、取付部材２０では、間隔規制部３０に設けられた当接面３１の両側が、それぞれ拡開した傾斜面３２を介して立面部２２の面状部分と滑らかに連続しているから、間隔規制部３０がデッキ材１３に食い込むことがなく、デッキ材１３の長手方向の熱伸縮を阻害しない。また、間隔規制部３０が弾性変形自在に突出しているため、デッキ材１３の幅方向の熱伸縮を確実に吸収できる。従って、デッキ材１３の幅方向および長手方向の熱伸縮を確実に許容できる。そして、間隔規制部３０がデッキ材１３に食い込まないことにより、デッキ材１３を交換する場合でも、デッキ材１３の引き出しや押し入れを容易にでき、デッキ１０のメンテナンスを容易にできる。
【００４１】
（２）取付部材２０の間隔規制部３０では、当接面３１の両側が傾斜面３２を介して立面部２２の面状部分と連続しているので、メンテナンス時において、デッキ材１３を既設の取付部材２０に向けて押し入れる場合でも、デッキ材１３が間隔規制部３０に引っ掛かったりせず、押し入れ作業をスムーズに行える。
【００４２】
（３）間隔規制部３０の基端部分の下部側が切欠開口２２Ａに臨み、上部側が開口部２２Ｂに臨んでいるから、間隔規制部３０が弾性変形する際に、基端部分が他の部位と擦れたりせず、間隔規制部３０を弾性変形し易くできる。このため、本実施形態のように、ステンレス等の硬度の大きい金属にて取付部材２０を製作した場合でも、デッキ材１３の熱伸縮にあわせて間隔規制部３０を確実に弾性変形させることができる。
【００４３】
（４）一方で、間隔規制部３０は、その両端側が立面部２２と連続して繋がっているため、片持ち状に切り起こされていた従来に比して剛性を向上させることができる。従って、取付部材２０としては、デッキ材１３の熱伸縮を許容するための弾性を有するだけでなく、デッキ材１３に加わる外力に確実に抗する剛性を有したものにできる。このため、デッキ材１３の設置にあたってデッキ材１３を当接面３１に当接させても、間隔規制部３０が容易に変形せず、デッキ１０設置後の目地１０Ｂの目地寸法を均一にできる。
【００４４】
（５）間隔規制部３０の当接面３１は平坦面であるから、当接面３１とデッキ材１３の側部とを面接触し易くでき、当接面３１ではデッキ材１３の側部から受ける外力を大きな面で受けることができて、集中した応力が生じ難くできる。このため、間隔規制部３０が弾性変形する前に当接面３１が変形等して損傷するおそれがなく、耐久性を向上させることができる。
【００４５】
（６）第１、第２基部２１１，２１２および第１、第２係合片２３１，２３２は、立面部２２での設けられる位置や、延設方向が異なっているので、板金材料の曲げ加工等にて第１、第２基部２１１，２１２および第１、第２係合片２３１，２３２を形成でき、板金加工により取付部材２０を製作できる。
【００４６】
（７）第１、第２係合片２３１，２３２には押圧部２３Ａが設けられているので、この押圧部２３Ａにてデッキ材１３を大引きに対して良好に押し付けることができる。
【００４７】
（８）互いに間隔を空けて設けられた第１、第２基部２１１，２１２は、互いの内側の縁２１Ａが傾斜し、互いに平行に設けられているので、取付部材２０の所望する設置位置にて、第１、第２基部２１１，２１２の縁２１Ａにて大引き１２を挟むように取付部材２０を位置させた後、この取付部材２０を回動させれば、第１、第２基部２１１，２１２を大引き１２の係合部１２Ｂに係合させることができ、取付部材２０を大引き１２の端部からスライドさせて所望の設置箇所まで移動させる必要がなく、設置を容易にできる。
【００４８】
［第２実施形態］
図５（Ａ）ないし図５（Ｃ）には、本発明の第２実施形態に係る取付部材２０が示されている。本実施形態の説明においては、前述した第１実施形態と同一部材および同一機能部位には同じ符号を付して、ここでのそれらの説明を省略または簡略化し、第１実施形態とは異なる構成について説明する。
【００４９】
本実施形態の取付部材２０では、一対の第１、第２基部２１１，２１２のそれぞれが、平面視にて矩形状とされ、立面部２２の面状部分に対して第１，第２方向の両側（大引き１２の長手方向の両側）に延設されている。一方の第１基部２１１には、大引き１２への固定用のねじが挿通される丸孔２１Ｂが設けられ、他方の第２基部２１２には、固定用のねじに係止される半長孔状の切欠部２１Ｃが設けられている。
【００５０】
ここで、第１、第２基部２１１，２１２の間隔Ｗ３は、大引き１２の係合部１２Ｂ間の幅寸法Ｗ２よりも僅かに大きい。従って、取付部材２０を大引き１２上に設置する際には、設置したい所望の位置において、第１、第２基部２１１，２１２間内に大引き１２の上面が入り込むように取付部材２０を上方から落とし込んだ後、取付部材２０全体を大引き１２の幅方向に沿ってずらし、図５（Ｂ）に示すように、第１基部２１１の内側の辺縁をこれに近接する大引き１２の一方の係合部１２Ｂに係合させる。
【００５１】
立面部２２においては、間隔規制部３０には第１実施形態のようなスリットや凹部が隣接して形成されていない。このことは、本実施形態の取付部材２０がアルミ製であることから、間隔規制部３０の上下に沿ってスリットや凹部を形成していなくとも、プレス加工などによって容易に間隔規制部３０を形成可能なことによる。なお、間隔規制部３０の上下は、面状部分から切断されており、間隔規制部３０は、両端部分のみで面状部分と連続している。
【００５２】
第１係合片２３１および第２係合片２３２はそれぞれ、立面部２２の面状部分の上部全域にわたって設けられている。第１、第２係合片２３１，２３２の押圧部２３Ａは、ハーフパンチ加工あるいはエンボス加工等により下方に突出して設けられている。押圧部２３Ａが一対ずつ設けられているのは、デッキ材１３が長手方向に沿って連設された際に、その境界部分を跨ぐように取付部材２０が設置された場合でも、押圧部２３Ａにて両方のデッキ材１３を確実に押圧するためである。また、第１係合片２３１の両側付近には、ピン１６挿通用の丸孔２３Ｂが設けられている。
【００５３】
このような取付部材２０は断面「エ」字形状のアルミ製の押出形材を基材とし、この基材に適宜な機械加工を施すことで製作される。その他の構成は、間隔規制部３０の形状を含め、第１実施形態と略同じである。
このような本実施形態では、第１実施形態で説明した（１）、（２）、（４）、（５）、（７）の効果を同様に得ることができ、加えて以下の（９）の効果がある。
【００５４】
（９）取付部材２０の第１、第２基部２１１，２１２が大引き１２の長手方向、すなわち立面部２２の表裏方向の両側に延設され、第１、第２係合片２３１，２３２が立面部２２の全域にわたって設けられているので、取付部材２０を押出形材からなる基材から製作できる。
【００５５】
なお、本発明は以上の各実施形態で説明した構成のものに限定されず、本発明の目的を達成できる範囲での変形例は、本発明に含まれる。
例えば、前記第１、第２実施形態の取付部材２０では、第１、第２係合片２３１，２３２に押圧部２３Ａが設けられていたが、このような押圧部がない場合でも本発明に含まれる。そして、そのような場合には、上方に突出した押圧部をデッキ材側に設けることが望ましく、こうすることで、前述した（７）の効果を同様に得ることができる。
【００５６】
前記第１、第２実施形態において、間隔規制部３０には、平坦な当接面３１と立面部２２の面状部分とを連続させる傾斜面３２が曲面にて形成されていたが、このような曲面の代わりに平坦面で形成してもよい。また、間隔規制部全体を連続した曲面で形成してもよい。
【００５７】
前記第１、第２実施形態では、間隔規制部３０は第２方向である一方のデッキ材１３側に突出して設けられていたが、間隔規制部を第１方向に突出して設けてもよいし、第１、第２方向の両方（両方のデッキ材１３）に対して突出するように複数設けてもよい。また、間隔規制部を大引き１２の幅方向に沿って間隔を空けて一対設けてもよい。
【００５８】
前記第１、第２実施形態では、用いられるデッキ材１３が全て小口を揃えて並設されていた。しかし、デッキ１０全体の一辺の長さが所定寸法よりも大きい場合、デッキ材１３としては、各列において、複数のデッキ材１３を長手方向に沿って連設される。この際には、連設方向（デッキ材１３の長手方向に同じ）でのデッキ材１３間の小口同士の境界部分（デッキ材１３の短辺同士が対向する部分）は、隣の列の同様な境界部分に対して連設方向にずれるよう、デッキ材１３を千鳥状に配置することも可能である。そして、そのような境界部分では、２本のデッキ材１３の互いに突き合わされた小口部分が１つの同じ取付部材２０を介して大引き１２に取り付けられることになる。
【符号の説明】
【００５９】
１０…デッキ、１２…大引き、１３…デッキ材、２０…取付部材、２１…基部２２…立面部、２３…係合片、３０…間隔規制部、３１…当接面、３２…傾斜面、２１１…第１基部、２１２…第２基部、２３１…第１係合片、２３２…第２係合片。
【図１】
2014152582.tif 000003
【図２】
2014152582.tif 000004
【図３】
2014152582.tif 000005
【図４】
2014152582.tif 000006
【図５】
2014152582.tif 000007